(57)【要約】    【課題】熱による騒音の拡大や振動の発生を抑えられる光書き込み装置及び画像形成装置を提供する。    【解決手段】光源から光学系を通して照射された照射光を偏向走査するポリゴンミラー１１と、該ポリゴンミラー１１が配置される略密閉された密閉室１４とを有し、密閉室１４が一部を開放したハウジング１２とハウジング１２の開放した部分を覆うカバー部材１３とにより形成され、カバー部材１３がハウジング１２への取り付け面に対して平行な方向に摺動可能に保持されている。    【選択図】    図２
2005114903.tif 000002
【特許請求の範囲】
【請求項１】
光源から光学系を通して照射された照射光を偏向走査するポリゴンミラーと、該ポリゴンミラーが配置される略密閉された回転空間とを有し、該回転空間が一部を開放したハウジングと該ハウジングの開放した部分を覆うカバー部材とにより形成される光書き込み装置において、
前記カバー部材が前記ハウジングへの取り付け面に対して平行な方向に摺動可能に保持されていることを特徴とする光書き込み装置。
【請求項２】
請求項１に記載の光書き込み装置において、前記カバー部材が弾性部材によって前記ハウジングに密着する方向に押圧されて保持されることを特徴とする光書き込み装置。
【請求項３】
請求項１に記載の光書き込み装置において、前記カバー部材が前記弾性部材によって取り付け面の略中心を押圧されることを特徴とする光書き込み装置。
【請求項４】
請求項１ないし３の何れか一項に記載の光書き込み装置を搭載し、該光書き込み装置により感光体に対して光により書き込みを行うことを特徴とする画像形成装置。
【発明の詳細な説明】
【技術分野】
【０００１】
本発明は、光書き込み装置及び画像形成装置に関するものである。
【背景技術】
【０００２】
【特許文献１】特開２００１−３３７２９０号公報
【０００３】
レーザプリンタ、デジタル複写機、デジタルファックス或いはこれらの複合機に用いられる光書き込み装置には、ドライブ基板上に直接軸受を設置し、ポリゴンミラーが裸の状態で回転するタイプと、特許文献１に記載されているように、ポリゴンミラーが略密閉された回転空間内に設置され、概略密閉状態下で回転するタイプのものとがある。ポリゴンミラーが裸の状態で回転させるものは、比較的低速回転のものが殆どであり、近年の画像形成装置はポリゴンミラーを高速回転させるものが多く、その防音対策のため上記のように概略密閉状態下で回転させている。
【０００４】
図６は、従来の密閉型の光書き込み装置を示す断面説明図である。図６において、ポリゴンミラー５１はハウジング５２とカバー部材５３によって形成された略密閉された回転空間としての密閉室５４内に配置されている。このようにポリゴンミラー５１を密閉室５４内に配置することで、ポリゴンミラー５１に回転によって発生する風切り音等を小さく抑えることができる。
【０００５】
ところで、密閉室５４は一部開放したハウジング５２にカバー部材５３で覆う構成にすることにより、組み付けやメンテナンスを容易にしている。この場合、カバー部材５３は平面形状であり、接着、ネジ締結によってハウジング５２に固定している。このように構成された光書き込み装置において、ポリゴンミラー５１の回転駆動に伴い、書き込み装置の温度が上昇すると、熱膨張によりハウジング５２とカバー部材５３等の形状が変化する。このとき、ハウジング５２とカバー部材５３ではその構成の違い等により変化の仕方が異なり、その固定部で歪を生ずる。歪が生ずると、振動が発生し騒音が増大してしまう。さらに、固定部の歪によって取り付け面に隙間が生ずると、ポリゴンミラー１１の角部にて発生する風切り音がその隙間から漏れ、騒音が増大するという問題が発生した。
【発明の開示】
【発明が解決しようとする課題】
【０００６】
本発明は、上記した従来の不具合を解消し、熱による騒音の拡大や振動の発生を抑えられる光書き込み装置及び画像形成装置を提供することを目的としている。
【課題を解決するための手段】
【０００７】
上記第１の目的を達成するため、本発明は、光源から光学系を通して照射された照射光を偏向走査するポリゴンミラーと、該ポリゴンミラーが配置される略密閉された回転空間とを有し、該回転空間が一部を開放したハウジングと該ハウジングの開放した部分を覆うカバー部材とにより形成される光書き込み装置において、前記カバー部材が前記ハウジングへの取り付け面に対して平行な方向に摺動可能に保持されていることを特徴としている。
【０００８】
なお、本発明は、前記カバー部材が弾性部材によって前記ハウジングに密着する方向に押圧されて保持されると、効果的である。
さらに、本発明は、前記カバー部材が前記弾性部材によって取り付け面の略中心を押圧されると、効果的である。
【０００９】
また、上記目的を達成するため、本発明は、請求項１ないし３の何れか一項に記載の光書き込み装置を搭載し、該光書き込み装置により感光体に対して光により書き込みを行うことを特徴としている。
【発明の効果】
【００１０】
請求項１の構成によれば、カバー部材がハウジングへの取り付け面に対して平行な方向に摺動可能に保持されているので、温度上昇によりハウジングとカバー部材の形状変化に差異が生じたとしても、カバー部材１３が取り付け面と平行な方向に摺動して歪等の発生を防止することができる。
【００１１】
請求項２の構成によれば、カバー部材が弾性部材によってハウジングに密着する方向に押圧されて保持されるので、取り付け面と垂直な方向に対する弾性部材の押圧力は温度上昇時も変わらないので、カバー部材をハウジングの取り付け面に密着させてハウジングとカバー部材間に隙間が生ずることを防止し、隙間からの風切り音の漏れ等も防止することができる。
【００１２】
請求項３の構成によれば、カバー部材が弾性部材によって取り付け面の略中心を押圧されるので、カバー部材のハウジングに対する密着力が全域において均等になり、密着力の不均一によるカバー部材のズレや隙間の発生等を防止することができる。
【００１３】
請求項４の構成によれば、上記効果が得られる画像形成装置を提供することができる。
【発明を実施するための最良の形態】
【００１４】
以下、本発明の実施の形態を添付図面にしたがって説明する。
図１は、本発明に係る画像形成装置としてのレーザプリンタの概略を示す説明図であり、ここに示したレーザプリンタは感光体を備えた作像手段と、該作像手段の感光体に光書き込みを行うレーザ書き込み装置を有している。最初に作像手段の概略について説明する。
【００１５】
図１における作像手段は、ドラム状の感光体１を有し、感光体１は図１における時計方向に回転駆動され、このとき帯電ローラ２によって表面が所定の極性に均一に帯電される。次いでその帯電面に、後に詳述するレーザ書き込み装置１０から出射する光変調されたレーザビームＬが照射される。これによって感光体１上に静電潜像が形成され、その静電潜像が現像装置３によってトナー像として可視像化される。
【００１６】
一方、装置本体下部側に設けられた給紙装置７から、例えば転写紙より成る記録材Ｐが給送され、その記録材Ｐがレジストローラ８を介して感光体１と転写ローラ４の間に送り込まれる。この転写ローラ４に対し、感光体１上のトナーと逆極性の電圧が印加され、これによって感光体１上のトナー像が記録材Ｐ上に転写される。記録材Ｐに転写されず、感光体１上に残された転写残トナーは、クリーニング装置５によって除去され、さらに除電装置６によって感光体１上に残された残留電荷が除去される。
【００１７】
このようにしてトナー像が形成された記録材Ｐは、搬送ベルト２５を介して定着装置９を送られ、このときそのトナー像が記録材Ｐ上に定着され、定着を終えた記録材Ｐは排紙トレイ２６上に排出される。このように、図１に例示した画像形成装置は、作像手段とその作像手段の感光体１にレーザビームによる光書き込みを行う光書き込み装置１０とを具備している。
【００１８】
図２は、光書き込み装置１０の主要部の拡大説明図であり、ここに示した光書き込み装置１０は概略密閉型であって、ポリゴンミラー１１はハウジング１２とカバー部材１３によって形成された略密閉された回転空間としての密閉室１４内に配置されている。ポリゴンミラー１１はカバー部材１３により密閉された密閉室１４内に配置することで、ポリゴンミラー１１に回転によって発生する音を小さく抑えることができる。なお、密閉室１４には、ポリゴンミラー１１へのレーザビームの入射、出射を可能にするための開口１５が設けられ、この開口１５は防音ガラス１６によって塞がれている。
【００１９】
ところで、ポリゴンミラー１１は図２に示していないがその下部に配置した駆動モータが同じく下方に配置された駆動制御手段によって制御される回転軸１１ａの回りを回転する。この回転により、駆動モータや制御手段が発熱することは避けられず、密閉室１４が高温下に晒される。このため、従来では熱膨張や温度分布の違いによりハウジング１２とカバー部材１３の取り付け部分に歪が生じ、騒音漏れや振動が発生することがあった。
【００２０】
そこで、本実施の形態では図３に示すように、カバー部材１３に長孔１７が形成され、この長孔１７にハウジング１２に螺合される頭付きネジ１８が嵌合されてカバー部材１３が取り付けられている。この頭付きネジ１８の締結において、ワッシャ１９と弾性部材としてのコイルスプリング２０を介在させ、カバー部材１３をコイルスプリング２０の押圧力にハウジング１２に押し付けて取り付けている。すなわち、図２に示すように、頭付きネジ１８の頭部とワッシャ１９の間にコイルスプリング２０を遊嵌させ、該ネジ１８をハウジング１２に固定することでカバー部材１３がコイルスプリング２０の弾性力によってハウジング１２に固定される。
【００２１】
このように、カバー部材１３は長孔１７を介してハウジング１２に押圧されて取り付けられているので、ハウジング１２の取り付け面に対して平行に摺動可能である。よって、熱膨張や温度分布の違いによりハウジング１２とカバー部材１３の取り付け部分に歪が生じようとしてもカバー部材１３が摺動するので、歪の発生が防止される。なお、長孔１７の延在方向をカバー部材１３の中心点、すなわちポリゴンミラー１１の回転軸線の放射方向とすることによりカバー部材１３の熱膨張等が生じても摺動し、歪の発生を抑えられる。
【００２２】
上記光書き込み装置において、取り付け面と垂直な方向（図２の上下方向）に対するコイルスプリング２０の押圧力は温度上昇時も変わらないので、カバー部材１３が歪を生じないように摺動してもハウジング１２の取り付け面に密着させることができる。したがって、ハウジング１２とカバー部材１３間に隙間が生ずることがなく、隙間発生による風切り音の漏れ等も防止することができる。
【００２３】
図４及び図５は、本発明の他の実施形態を示す平面及び正面の説明図である。
図４及び図５において、カバー部材１３は弾性部材としての板バネ２１によってハウジング１２に押し付けられて固定されている。すなわち、カバー部材１３は板バネ２１によってハウジング１２に密着され、板バネ２１はその両端部分でネジ２２によって書き込み装置の枠体に固定されている。この場合、カバー部材１３はネジの締結や接着でハウジング１２に固定されていないので、取り付け面に対して摺動可能となっている。また、板バネ２１は図５から明らかなようにカバー部材１３の略中央を押圧することによりカバー部材１３のハウジング１２に対する密着力が全域において均等になり、密着力の不均一によるカバー部材１３のズレや隙間の発生等を防止することができる。
【００２４】
このように構成された光書き込み装置は、温度上昇によりハウジング１２とカバー部材１３の形状変化に差異が生じたとしても、カバー部材１３は板バネ２１押え付けてハウジング１２に取り付けているので、取り付け面と平行な方向に摺動可能であり、歪等が発生しない。このため、従来問題になっていた温度上昇時の歪等による振動や騒音の増大のない光書き込み装置を提供することができる。
【００２５】
上記光書き込み装置において、取り付け面と垂直な方向（図４の上下方向）に対する板バネ２１の押圧力は温度上昇時も変わらないので、カバー部材１３が歪を生じないように摺動してもハウジング１２の取り付け面に密着させることができる。したがって、ハウジング１２とカバー部材１３間に隙間が生ずることがなく、隙間発生による風切り音の漏れ等も防止することができる。
【図面の簡単な説明】
【００２６】
【図１】本発明に係る画像形成装置としてのレーザプリンタの概略を示す説明図である。
【図２】本発明に係る光書き込み装置の一実施形態を示す概略断面図である。
【図３】図２のIII‐III線に従う断面図である。
【図４】本発明に係る光書き込み装置の他の実施形態を示す概略断面図である。
【図５】図４の平面図である。
【図６】従来の光書き込み装置を示す概略断面図である。
【符号の説明】
【００２７】
１０    光書き込み装置
１１    ポリゴンミラー
１２    光学ハウジング
１３    カバー部材
１４    密閉室
２０    コイルスプリング
２１    板バネ
【図１】
2005114903.tif 000003
【図２】
2005114903.tif 000004
【図３】
2005114903.tif 000005
【図４】
2005114903.tif 000006
【図５】
2005114903.tif 000007
【図６】
2005114903.tif 000008